(57)【要約】本発明は、生物サンプルスライドの全自動処理装置及び方法を開示する。装置は、主に、検出アセンブリ（１）、ベースプラットフォーム（２）、Ｚアーム（３）、Ｘアーム（４）、Ｙアーム（５）、試薬添加針（６）、試薬スキャナー、サンプルスライドスキャナーを含む。当該装置は、検出過程の要求及び検出工程に応じて所定時間に試薬を定量に添加することを自動的に実現することができ、自動的に加熱を制御し、液体注入及び液体排出を自動的に制御し、検出過程の全自動化を実現する。サンプルスライドが熱処理する必要があるとき、挿入溝へ溶液を注入して加熱することができる。熱処理する過程において、ギャップのうちの溶液が揮発しても毛細管作用によりスライドアセンブリの底部のギャップ口から吸い込まれ、自動的に補充され、熱処理は、十分であり、均一であり、乾燥現象を発生しなく、従来の焼付け式で加熱すると、揮発及び乾燥を発生しやすい問題を克服し、加熱過程の信頼性及び重複性を保証する。【選択図】図１
2019509506.tif 000002
【特許請求の範囲】
【請求項１】
生物サンプルスライドの全自動処理装置であって、検出アセンブリ（１）、ベースプラットフォーム（２）、Ｚアーム（３）、Ｘアーム（４）、Ｙアーム（５）、試薬添加針（６）、バーコード及び二次元コードを識別可能な試薬スキャナー、バーコード及び二次元コードを識別可能なサンプルスライドスキャナーを含み、ＸＹＺは、空間直交座標系の座標軸に対応し、
検出アセンブリ（１）は、容器（３０１）、ベース（３０２）、加熱装置（３０３）、液体注入口（３０８）、液体排出口（３０７）、制御器（３０９）、熱電対（３１２）、スライド（１０１）、スライドカバー（６０１）及びスライドサポート（６０２）を含み、制御器（３０９）は、加熱装置の起動と停止を制御し、加熱装置（３０３）は、ベース（３０２）の上方かつ容器（３０１）の下方に位置し、容器（３０１）は、加熱媒体及び１つ以上のスライドサポート（６０２）を放置し、熱電対（３１２）は、容器に置かれ、熱電対（３１２）は、容器（３０１）の温度をリアルタイムに検知し、かつ検知データを制御器（３０９）に伝送し、制御器（３０９）は、検知データに基づいて加熱電力の出力を調整し、前記試薬スキャナーとサンプルスライドスキャナーとは、共に、前記制御器に接続し、スキャン結果を制御器に伝送し、
前記スライドカバー（６０１）とスライド（１０１）は、配合し、１組のサンプル処理のためのスライドアセンブリを組合せ、スライドサポート（６０２）の両端は、容器のお互いに対向する両側辺に掛けて、スライドサポート（６０２）におけるスライドアセンブリの底端と容器の底部との間に隙間を残し、前記スライドサポート（６０２）には、一体に形成し、竪直し或いは傾斜する複数のＶ字状の挿入溝（６０４）を形成し、それぞれのＶ字状の挿入溝（６０４）には、ばね板（６０３）が固定して設置され、複数のＶ字状の挿入溝は、一列に緊密に排列し、前記スライドサポートは、一列又は複数列のＶ字状の挿入溝を含み、スライドアセンブリは、スライドサポートのＶ字状の挿入溝（６０４）に沿って挿入、スライドカバー（６０１）の表面がばね板（６０３）を押付けてばね圧を発生してスライドアセンブリに印加し、それにより押し締め作用を実現し、スライドサポート（６０２）の両端は、容器のお互いに対向する両側辺に掛けて、スライドサポート（６０２）におけるスライドアセンブリの底端と容器の底部との間に隙間を残し、
Ｚアーム（３）は、ベースプラットフォーム（２）に竪直に固定して設置され、Ｘアーム（４）は、Ｚアーム（３）に取り付けられ、Ｚアームには、Ｘアーム（４）のＺアームに沿う上下移動を制御するためのステップ制御機構が設けられ、Ｙアーム（５）は、Ｘアーム（４）に取り付けられ、Ｘアームには、Ｙアーム（５）のＸアームに沿う左右移動を制御するためのステップ制御機構が設けられ、
Ｙアーム（５）には、１つ又は複数の試薬添加針（６）を取り付けて試薬添加針組を形成し、Ｙアーム（５）にはステップ制御機構が設置され、制御器の制御で試薬添加針組がＹアームに沿って移動するように駆動することができ、Ｙアームには、さらに、ピッチ調整機構が設置し、制御器の制御で試薬添加針組のそれぞれの間のピッチを調整することができ、ステップ制御機構の制御で、試薬添加針は、上下移動して試薬添加針の高度、即ち、ベースプラットフォームとの距離を制御することができ、試薬添加針（６）は、ステップ制御機構の制御でスライドアセンブリの試薬添加溝（１０２）の上方までに自動的に移動することができることを特徴とする生物サンプルスライドの全自動処理装置。
【請求項２】
試薬添加針（６）は、パイプラインを介して試薬添加用マイクロポンプが接続し、試薬添加用マイクロポンプは、制御器の制御でサンプリング及び添加の体積と回数を制御することができ、毎回の試薬の添加量、一回試薬を取って一回に添加し及び一回試薬を取って複数回に分けて複数のサンプルに添加することを制御することを特徴とする請求項１に記載の生物サンプルスライドの全自動処理装置。
【請求項３】
検出アセンブリ（１）は、個数が１つ又は複数であり、複数の検出アセンブリ（１）は、ベースプラットフォーム（２）に平行に放置されることを特徴とする請求項１に記載の生物サンプルスライドの全自動処理装置。
【請求項４】
前記ステップ制御機構は、ステップモーターで駆動される親ねじ機構又はステップモーターで駆動されるベルト伝動機構であることを特徴とする請求項１に記載の生物サンプルスライドの全自動処理装置。
【請求項５】
さらに、液体注入口（３０８）に接続する液体注入制御部材と液体排出口（３０７）に接続する液体排出制御部材を含み、液体注入制御部材および液体排出制御部材は、マイクロポンプ又は電磁弁を採用して実現し、マイクロポンプ及び電子弁は、共に、制御器により制御され、液体注入と液体排出を定量に実現し、制御器（３０９）は、ホストコンピュータに接続し、ホストコンピュータの指令を受信することを特徴とする請求項１に記載の生物サンプルスライドの全自動処理装置。
【請求項６】
前記カバーは、毛管現象発生平面（９０１）、深さ位置決め面（９０２）、幅位置決めブロック（９０３）、底部位置決めブロック（９０４）、溝側面（９０６）、溝開口面（９０７）を含み、前記毛管現象発生平面（９０１）のお互いに対向する両側辺の上方には、２つの前記深さ位置決め面（９０２）が設けられ、毛管現象発生平面（９０１）が深さ位置決め面に平行し、前記スライドの平面の両側辺縁に近接する部分は、深さ位置決め面（９０２）に貼り合せ、スライド表面と毛管現象発生平面（９０１）との間に微小ギャップを形成し、それぞれの深さ位置決め面（９０２）において毛管現象発生平面（９０１）から離れる外側辺縁には、１つ以上の前記幅位置決めブロック（９０３）が設けられ、異なる深さ位置決め面（９０２）に位置する幅位置決めブロック（９０３）間の垂直距離は、スライドの幅にマッチングして位置制限し、底部位置決めブロック（９０４）は、深さ位置決め面（９０２）の底端に設けられ、前記溝開口面（９０７）と毛管現象発生平面（９０１）の上端とが接続して夾角Ａ１を形成し、Ａ１が１〜１７５度の平面角であり、溝開口面（９０７）の両側には、それぞれ、溝側面（９０６）が接続し、前記溝開口面（９０７）及び２つの溝側面（９０６）は、スライド平面と共同に前記微小ギャップに連通する試薬添加溝を構成し、微小ギャップの底部にはギャップ口があり、スライドカバーは、スライドの長さと等しく、溝側面（９０６）においてスライド平面に貼り合せる一側、即ち、２つの前記深さ位置決め面（９０２）の上端には、共に、タグ収容溝（９０９）が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができ、２つの溝側面（９０６）の外側には、頂部模様（９１０）が設けられ、溝側面（９０６）と指との間の摩擦力を増加し、毛管現象発生平面（９０１）と深さ位置決め面（９０２）との間の垂直距離が０．０１〜０．５ｍｍであり、スライドカバー及びスライドは、緊密に貼り付けた後にスライド表面と毛管現象発生平面（９０１）との間にピッチ０．０１〜０．５ｍｍの微小ギャップを形成し、前記幅位置決めブロック（９０３）は、深さ位置決め面（９０２）の厚さより０．１〜１ｍｍ高く、底部位置決めブロック（９０４）は、上向きの鉤状であり、底部位置決めブロック（９０４）と幅位置決めブロック（９０３）は、共に、カバーとスライドとが貼り合せた後の相対位置を決定し、かつカバーとスライドとの間の緊密貼合せを保持することを支援することを特徴とする請求項１に記載の生物サンプルスライドの全自動処理装置。
【請求項７】
スライドアセンブリがＶ字状の挿入溝に挿入した後、傾斜し、或いは竪立して放置され、スライドアセンブリと竪直方向との間の角度が１〜９０度であることを特徴とする請求項１に記載の生物サンプルスライドの全自動処理装置。
【請求項８】
前記加熱装置（３０３）は、電熱ロッド加熱や、電熱線加熱、マイクロ波加熱、電磁誘導加熱、熱媒体循環加熱方式を採用し、前記加熱装置（３０３）と容器（３０１）は、接続構成又は分離可能な構成であることを特徴とする請求項１に記載の生物サンプルスライドの全自動処理装置。
【請求項９】
スライド（１０１）及びカバー（６０１）から組み合わせたスライドアセンブリの上端の外形は、サポートにおけるＶ字状の挿入溝（６０４）にマッチングし、それにより、スライドアセンブリがスライドサポート（６０２）におけるＶ字状の挿入溝（６０３）に挿入することができ、複数の緊密に排列するスライドアセンブリを形成し、ばね板（６０３）とスライドサポートのＶ字状の挿入溝（６０４）は、一体に接続する構成であり、或いは、独立に分離して設置し、独立に分離して設置するとき、ばね板は、嵌合し、或いは接着するようにＶ字状の挿入溝（６０４）に固定されることを特徴とする請求項１に記載の生物サンプルスライドの全自動処理装置。
【請求項１０】
請求項１〜９のいずれか一項に記載の生物サンプルスライドの全自動処理装置用の処理方法であって、
前記試薬スキャナーとサンプルスライドスキャナーとは、共に、前記制御器に接続し、スキャン結果を制御器に伝送し、試薬添加の対応指令を発生し、それぞれの試薬添加針は、制御器により単独に制御されるが、協働して複数の試薬を単独又は同時にサンプリングし、或いは、複数のサンプルスライドを単独又は同時に試料を添加することができ、スライドには、少なくとも１つの生物サンプルを含み、生物サンプルを熱処理するとき、スライドサポートにおけるスライドアセンブリは、容器の熱媒体に浸漬し、或いは挿入して加熱を行い、複数のスライドにおけるサンプルは、同一容器に浸漬され、制御器により温度を制御し、一体化熱処理を行うことを特徴とする生物サンプルスライドの全自動処理装置用の処理方法。
【請求項１１】
スライドアセンブリが熱処理するとき、容器のうちの加熱媒体を沸騰まで加熱することができ、熱処理温度を制御することを特徴とする請求項１０に記載の処理方法。
【請求項１２】
検証過程において容器（３０１）の容液が沸騰した後、時間Ｔ２保温することが要求されると仮定し、加熱し始めるとき、制御器は、加熱電力がＫ１になるように設置して快速加熱し、加熱過程において、熱電対（３１２）は、溶液温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させることを特徴とする請求項１０に記載の処理方法。
【請求項１３】
容器に対する加熱は、試験で検証した後、沸騰まで加熱する時間Ｔ１及び保温時間Ｔ２を設置すればよく、熱電対のフィードバックにより加熱の時間及び電力を調整する必要がないことを特徴とする請求項１０に記載の処理方法。
【請求項１４】
制御器は、供給用マイクロポンプが液体を注入し、排出用マイクロポンプが液体を容器から排出することを自動的に制御し、サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングすることを特徴とする請求項１０に記載の処理方法。
【請求項１５】
新たな試薬を添加するとき、新たな試薬は、試薬添加溝を介してギャップに進入し、ギャップにおける本来の試薬は、スライドアセンブリの底部のギャップ口から流出し、自動的に置換され、新たな試薬を添加する前、先の試薬を除去し、乾燥操作する必要がないことを特徴とする請求項１０に記載の処理方法。
【請求項１６】
ベースプラットフォームにおいて、Ｎ１列のスライドアセンブリが置かれ、各列が等距離で置かれ、その距離がＤ１であり、各列のスライドサポートには、Ｎ２個のＶ字状の挿入溝（６０４）が設置し、Ｎ２個のスライドアセンブリを挿入することができ、それぞれのＶ字状の挿入溝間の距離がＤ２であり、スライドアセンブリがＮ１列の形式で挿入すると、Ｎ２排、Ｎ１列のスライドアセンブリアレイ構成を構成し、現在のＹアーム（５）にはＮ３個の試薬添加針（６）が設けれると仮定し、Ｎ２がＮ３の倍数であり、制御器は、まず、Ｄ１に基づいてＹアーム（５）のＸアーム（４）における運動ステップサイズを設定し、Ｄ２＊Ｎ３の数値に基づいて試薬添加針組のＹアーム（５）における運動ステップサイズを設置し、ある回の試薬添加に必要な容積がＭであり、試薬添加用マイクロポンプの流速がＶ１であると仮定すると、一回試薬添加の時間がｔ１＝Ｍ／Ｖ１になり、制御器により自動的に制御し、検出過程において試料を添加する必要があるとき、制御器は、試薬添加針組が試料を添加する必要であるスライドアセンブリの試薬添加溝の真上に移動するように制御し、試薬添加用マイクロポンプを起動し、試薬添加時間がｔ１であり、完了した後、一列の検出スライドアセンブリの試薬添加を完了するまで試薬添加針組がＸアームに沿って距離Ｄ２＊Ｎ３移動して次の試薬添加位置に達するように制御し、次に、ＹアームがＸアームに沿って距離Ｄ１移動して次の列の検出アセンブリに達するように制御し、試薬添加針は、Ｙアームに沿って逆方向にＤ２＊Ｎ３＊（Ｎ２／Ｎ３−１）摺動し、相応列のスライドアセンブリの起点に戻し、その後に、継続に試料を添加することを特徴とする請求項１０に記載の処理方法。
【請求項１７】
供給用マイクロポンプの流速がＶ２であり、排出用マイクロポンプの流速がＶ３であり、容器の長さがＬであり、幅がＷであると仮定し、一操作過程において、容器に溶液を増加する必要がある深さがＨであると、制御器において新たに溶液を増加する深さの数値がＨであることを設定することができ、このとき、制御器は、供給用マイクロポンプ（３１１）の運転時間Ｔ３＝Ｌ＊Ｗ＊Ｈ／Ｖ２を自動的に算出し、上記Ｈ深さの溶液を容器から排出する必要があるとき、制御器は、排出用マイクロポンプ（３１０）の作動時間がＴ３＋Δｔになるように制御し、Δｔが、容器のうちの液体を完全に排出するために設定された時間余裕であることを特徴とする請求項１０に記載の処理方法。
【発明の詳細な説明】
【技術分野】
【０００１】
本発明は、生物サンプル処理分野に関し、特に、生物サンプルスライドの全自動処理装置及び方法に関する。
【背景技術】
【０００２】
サンプルスライドにおけるタンパク質又は遺伝子検査（例えば、免疫組織化学法及びｉｎ  ｓｉｔｕ ハイブリダイゼーションの遺伝子検査法など）は、数十個の複雑な工程が必要であり、環境と人工操作の差異などの複数種要素は、テスト結果の正確性、重複性にひどく影響する。サンプル検出の正確性、重複性、効率を向上することは、最も重要なことになっている。
【０００３】
現在、よく見られる計器の運転では、試薬は、スライドの上方から試薬をスライドに噴射し、試薬添加位置は、サンプルを完全にカバーすることを確保することができず、試薬を滴下した後、オープンして培養しても、試薬の流失、揮発・乾燥の問題を引き起こしやすい。大部分のサンプルが処理する過程には熱処理を行う必要であることは、抗原又は病原体特徴のタンパク質が本来の形状を復元するのに必要である工程であり、遺伝子検査において遺伝子溶解及び組織水和のために必要である工程である。加熱は、一般的に、８０−１２１℃で行い、かつ３−６０分間維持する。しかしながら、現在、手動でサンプルスライドを処理する装置は、加熱可能又は耐熱の性能を有しない。サンプルスライドの処理途中にサンプルスライドを加熱可能な容器に移行し、その後に常温の操作台に移行する必要があり、操作プローの複雑性と操作誤差を増加する。現在、一般的に使用される、加熱機能を有する自動化計器は、噴射で試薬を添加し、その後に、それぞれのサンプルスライドを独立に焼けて加熱し、試薬の揮発乾燥、加熱の不均一などの現象を引き起こしやすい。
【０００４】
現在、全世界の市場では、約１０種の自動免疫組織化学染色装置がある。米国のベンタナ（Ｖｅｎｔａｎａ）、ドイツのライカ（ｌｅｉｃａ）及びデンマークのダコ（Ｄａｋｏ）という３つの計器は、最もよく使用されている。しかし、すべての計器は、以下の欠陥を有する。要するに、遅く（毎回、３−５時間が必要である）、サンプル処理量が少なく（毎回、最も多くとも、１６−６０枚のサンプルスライドを処理する）、重複性が悪い（（それぞれのサンプルは、独立に加熱される）環境差異及び温度制御差異）。
【０００５】
すべての計器は、サンプルスライドをタイルして放置し、大きな空間を占め、計器の容量を制限し、一般的には、１６−６０枚間である。
【０００６】
試薬添加は、スライドの上方から噴射し、試薬添加位置がサンプルの位置であることを確保することができず、それにより、サンプルが試薬にカバーされず偽陰性を発生する。
【０００７】
大部分のサンプルは、処理過程に熱処理を行う必要があり、それは、サンプルスライド検出の特定性及び感度を向上するのに必要である工程である。加熱は、８０℃以上の温度が必要であり、かつ３−６０分間維持する。通常に使用される方法は、圧力釜による煮込みや、一般的な煮沸、又は熱い液体による温浴などの方法が挙げられる。しかしながら、現在、計器における加熱は、いずれも焼付け式で行い、試薬の揮発及び気泡の発生を制御しにくい。本分野のメーカでは、例えば、ベンタナの計器は、油膜でカバーする方法（試薬を添加した後、一層のシリコーン油をカバーする）を採用し、揮発を低減する。しかし、シリコーン油が毎枚のスライドを均一、完全にカバーすることができず、かつその後に、特殊の洗浄でシリコーン油を洗浄する必要がある。ライカの計器では、プラスチック製のカバーで試薬をカバーして揮発を防止し、しかし、サンプルスライドが方形であるので、加熱過程に気泡がサンプルとプラスチック製のカバーとの間に累積し、加熱が不均一になり、気泡が一部に集合して一部乾燥を発生し、及び気泡が一部に集合して後続きの洗浄が不完全になり、バックグラウンドに影響する問題を引き起こす。そのほかのメーカ、例えば、Ｄａｋｏ、Ｂｉｏｃａｒｅ、Ｂｉｏｇｅｎｅｘなどでは、より温和な温度（一般的、９０−９７℃）で沸騰による気泡、揮発、乾燥現象を防止する。しかし、この方法は、時間を延長し、気泡及び揮発の根本的問題を徹底に解決することができない。
【０００８】
すべての計器では、毎枚のサンプルスライドは、単独に加熱され、独立に温度制御を行い、スライド間及び計器間の温度差を避けることができず、サンプル処理の重複性と信頼性を影響する。
【０００９】
すべての計器は、いずれも、単一機械アームによるサンプリング、試薬添加の方式を採用し、サンプリング及び試薬添加は、大量の時間がかかり、計器の流束をさらに制限する。
【００１０】
特許ＣＮ１０２７７０７４６Ａには、スライドに置かれる少なくとも１つの生物サンプルを処理するための自動化染色装置を開示し、前記装置は、少なくとも１つの毛細管作用染色アセンブリを含み、前記毛細管作用染色アセンブリは、スライドサポート支持部材と毛管現象発生カバーサポート支持部材とを含み、前記スライドサポート支持部材は、１つ又は複数のスライドを支持するスライドサポートを取り外し可能に支持するように設置され、前記毛管現象発生カバーサポート支持部材は、一个又は複数の毛管現象発生カバーを支持する毛管現象発生カバーサポートを取り外し可能に支持するように設置され、前記スライドサポートは、毛管現象発生カバーサポートの除去と独立することができる。さらに、第１流体を含む第１流体容器を有し、自動化染色装置は、前記スライドサポート支持部材を制御して１つ又は複数のスライドを挿入位置から１つ又は複数の傾斜位置に回動し、かつ毛管現象発生カバーサポート支持部材を制御して１つ又は複数の毛管現象発生カバーを１つ又は複数のスライドへ移動し、それにより、それぞれのスライドとそれぞれの毛管現象発生カバーとの間に微小ギャップを形成し、前記微小ギャップは、毛管現象発生室とされる。スライドが前記傾斜位置に位置するとき、前記流体容器から一定量の第１流体を前記スライドに自動的に供給する。当該特許文献では、一回で１つのスライドのみを処理する複雑な機構を有する欠点を克服し、小いギャップを有するカバーにより、液体（又は試薬）は、カバーの小いギャップに保持され、カバーの角度反転に伴って、カバーの中間位置に小いギャップを有し、それにより、カバーが反転するとき、サンプルに貼り付ける（接触）ことがしない。当該特許文献では、大量に処理することができず、この構成がスライドとカバーを反転する必要があり、操作工程が多くなり、効率を低下させ、処理効果を影響し、カバーがサンプル処理のある段階になって被覆し、カバーが移動するものであり、液体を排出して、次の試薬を注入する必要があるとき、カバーが反転して上げて、カバーの面は、液体を自由に通過させる機能を発揮しない。カバーが反転して上げる必要があり、次の試薬の添加が不便になり、スライドを全過程にカバーすることができず、処理效果にとっては不利である。
【００１１】
そのため、より快速、信頼できるサンプルスライドの処理装置及び方法が必要である。
【発明の概要】
【発明が解決しようとする課題】
【００１２】
上記問題を解決するために、本発明は、生物サンプルスライドの自動化処理装置及び処理方法を開示し、大量のサンプルスライドを有効、信頼的に処理することができる。
【課題を解決するための手段】
【００１３】
本発明の目的は、以下の少なくとも１つの技術案により実現される。
【００１４】
生物サンプルスライドの全自動処理装置であって、検出アセンブリ、ベースプラットフォーム、Ｚアーム、Ｘアーム、Ｙアーム、試薬添加針、バーコード及び二次元コードを識別可能な試薬スキャナー、バーコード及び二次元コードを識別可能なサンプルスライドスキャナーを含み、ＸＹＺは、空間直交座標系の座標軸に対応する。
【００１５】
検出アセンブリは、容器、ベース、加熱装置、液体注入口、液体排出口、制御器、熱電対、スライド、スライドカバー及びスライドサポートを含み、制御器は、加熱装置の起動と停止を制御し、加熱装置は、ベースの上方かつ容器の下方に位置し、容器は、加熱媒体及び１つ以上のスライドサポートを放置し、熱電対は、容器に置かれ、熱電対は、容器の温度をリアルタイムに検知し、かつ検知データを制御器に伝送し、制御器は、検知データに基づいて加熱電力の出力を調整し、前記試薬スキャナーとサンプルスライドスキャナーとは、共に、前記制御器に接続し、スキャン結果を制御器に伝送し、
前記スライドカバーとスライドは、配合し、１組のサンプル処理のためのスライドアセンブリを組合せ、スライドサポートの両端は、容器のお互いに対向する両側辺に掛けて、スライドサポートにおけるスライドアセンブリの底端と容器の底部との間に隙間を残し、前記スライドサポートには、一体に形成し、竪直し或いは傾斜する複数のＶ字状の挿入溝を形成し、それぞれのＶ字状の挿入溝には、ばね板が固定して設置され、複数のＶ字状の挿入溝は、一列に緊密に排列し、前記スライドサポートは、一列又は複数列のＶ字状の挿入溝を含み、スライドアセンブリは、スライドサポートのＶ字状の挿入溝に沿って挿入し、スライドカバーの表面がばね板を押付けてばね圧を発生してスライドアセンブリに印加し、それにより押し締め作用を実現し、スライドサポートの両端は、容器のお互いに対向する両側辺に掛けて、スライドサポートにおけるスライドアセンブリの底端と容器の底部との間に隙間を残し、
Ｚアームは、ベースプラットフォームに竪直に固定して設置され、Ｘアームは、Ｚアームに取り付けられ、Ｚアームには、ＸアームのＺアームに沿う上下移動を制御するためのステップ制御機構が設けられ、Ｙアームは、Ｘアームに取り付けられ、Ｘアームには、ＹアームのＸアームに沿う左右移動を制御するためのステップ制御機構が設けられ、
Ｙアームには、１つ又は複数の試薬添加針を取り付けて試薬添加針組を形成し、Ｙアームにはステップ制御機構が設置され、制御器の制御で試薬添加針組がＹアームに沿って移動するように駆動することができ、Ｙアームには、さらに、ピッチ調整機構が設置し、制御器の制御で試薬添加針組のそれぞれの間のピッチを調整することができる。
【００１６】
ステップ制御機構の制御で、試薬添加針は、上下移動して試薬添加針の高度、即ち、ベースプラットフォームとの距離を調製することができ、試薬添加針は、ステップ制御機構の制御でスライドアセンブリの試薬添加溝の上方までに自動的に移動することができる。
【００１７】
さらに、試薬添加針は、パイプラインを介して試薬添加用マイクロポンプが接続し、試薬添加用マイクロポンプは、制御器の制御でサンプリング及び添加の体積と回数を制御することができ、毎回の試薬の添加量、一回試薬を取って一回に添加し及び一回試薬を取って複数回に分けて複数のサンプルに添加することを制御する。
【００１８】
さらに、検出アセンブリ１は、個数が１つ又は複数であり、複数の検出アセンブリ１は、ベースプラットフォームに平行に放置され、比較的大量のサンプルスライドを同時に処理し、或いは異なる操作プローが必要であるサンプルスライドを処理することができる。
【００１９】
さらに、前記ステップ制御機構は、ステップモーターで駆動される親ねじ機構又はステップモーターで駆動されるベルト伝動機構である。
【００２０】
さらに、前記処理装置は、液体注入口に接続する液体注入制御部材と液体排出口に接続する液体排出制御部材を含み、液体注入制御部材および液体排出制御部材は、マイクロポンプ又は電磁弁を採用して実現し、マイクロポンプ及び電子弁は、共に、制御器により制御され、液体注入と液体排出を定量に実現し、制御器は、ホストコンピュータに接続し、ホストコンピュータの指令を受信する。
【００２１】
さらに、前記カバーは、毛管現象発生平面、深さ位置決め面、幅位置決めブロック、底部位置決めブロック、溝側面、溝開口面を含み、前記毛管現象発生平面のお互いに対向する両側辺の上方には、２つの前記深さ位置決め面が設けられ、毛管現象発生平面が深さ位置決め面に平行し、前記スライドの平面の両側辺縁に近接する部分は、深さ位置決め面に貼り合せ、スライド表面と毛管現象発生平面との間に微小ギャップを形成し、それぞれの深さ位置決め面において毛管現象発生平面から離れる外側辺縁には、１つ以上の前記幅位置決めブロックが設けられ、異なる深さ位置決め面に位置する幅位置決めブロック間の垂直距離は、スライドの幅にマッチングして位置制限し、底部位置決めブロックは、深さ位置決め面の底端に設けられ、前記溝開口面と毛管現象発生平面の上端とが接続して夾角Ａ１を形成し、Ａ１が１〜１７５度の平面角であり、溝開口面の両側には、それぞれ、溝側面が接続し、前記溝開口面及び２つの溝側面は、スライド平面と共同に前記微小ギャップに連通する試薬添加溝を構成し、微小ギャップの底部にはギャップ口があり、スライドカバーは、スライドの長さと等しく、溝側面においてスライド平面に貼り合せる一側、即ち、２つの前記深さ位置決め面の上端には、共に、タグ収容溝が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができ、２つの溝側面の外側には、頂部模様が設けられ、溝側面と指との間の摩擦力を増加し、毛管現象発生平面と深さ位置決め面との間の垂直距離が０．０１〜０．５ｍｍであり、スライドカバー及びスライドは、緊密に貼り付けた後にスライド表面と毛管現象発生平面との間にピッチ０．０１〜０．５ｍｍの微小ギャップを形成し、前記幅位置決めブロックは、深さ位置決め面の厚さより０．１〜１ｍｍ高く、底部位置決めブロックは、上向きの鉤状であり、底部位置決めブロックと幅位置決めブロックは、共に、カバーとスライドとが貼り合せた後の相対位置を決定し、かつカバーとスライドとの間の緊密貼合せを保持することを支援する。
【００２２】
さらに、スライドアセンブリがＶ字状の挿入溝に挿入した後、傾斜し、或いは竪立して放置され、スライドアセンブリと竪直方向との間の角度が１〜９０度である。
【００２３】
さらに、前記加熱装置は、電熱ロッド加熱や、電熱線加熱、マイクロ波加熱、電磁誘導加熱、熱媒体循環加熱方式を採用し、前記加熱装置と容器は、接続構成又は分離可能な構成である。
【００２４】
さらに、スライド及びカバーから組み合わせたスライドアセンブリの上端の外形は、サポートにおけるＶ字状の挿入溝にマッチングし、それにより、スライドアセンブリがスライドサポートにおけるＶ字状の挿入溝に挿入することができ、複数の緊密に排列するスライドアセンブリを形成し、ばね板とスライドサポートのＶ字状の挿入溝は、一体に接続する構成であり、或いは、独立に分離して設置し、独立に分離して設置するとき、ばね板は、嵌合し、或いは接着するようにＶ字状の挿入溝に固定される。
【００２５】
上記生物サンプルスライドの全自動処理装置を使用する処理方法であって、当該方法では、前記試薬スキャナーとサンプルスライドスキャナーとは、共に、前記制御器に接続し、スキャン結果を制御器に伝送し、試薬添加の対応指令を発生し、それぞれの試薬添加針は、制御器により単独に制御するが、協働して複数の試薬を単独又は同時にサンプリングし、或いは、複数のサンプルスライドを単独又は同時に試料を添加することができ、スライドには、少なくとも１つの生物サンプルを含み、生物サンプルを熱処理するとき、試薬をサンプルスライドに滴下して焼付けの方式で行うのではなく、スライドサポートにおけるスライドアセンブリは、容器の熱媒体に浸漬し、或いは挿入して加熱を行う。それぞれのサンプルスライドが単独に加熱し、独立に温度を制御するのではなく、複数のスライドにおけるサンプルは、同一容器に浸漬され、制御器により温度を制御し、一体化熱処理を行う。スライドアセンブリがサンプルスライド処理の全過程において、スライドカバーとスライドとの間の相対位置は、終始に固定されて、分離する必要がない。
【００２６】
さらに、スライドアセンブリが熱処理するとき、容器のうちの加熱媒体を沸騰まで加熱することができ、熱処理温度を制御し、熱処理に均一性、信頼性及び重複性を有させる。
【００２７】
さらに、検証過程において容器の容液が沸騰した後、時間Ｔ２保温することが要求されると仮定し、加熱し始めるとき、制御器は、加熱電力がＫ１になるように設置して快速加熱し、加熱過程において、熱電対は、溶液温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させる。
【００２８】
さらに、容器に対する加熱は、試験で検証した後、沸騰まで加熱する時間Ｔ１及び保温時間Ｔ２を設置すればよく、熱電対のフィードバックにより加熱の時間及び電力を調整する必要がない。
【００２９】
さらに、制御器は、供給用マイクロポンプが液体を注入し、排出用マイクロポンプが液体を容器から排出することを自動的に制御し、サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングする。
【００３０】
さらに、新たな試薬を添加するとき、新たな試薬は、試薬添加溝を介してギャップに進入し、ギャップにおける本来の試薬は、スライドアセンブリの底部のギャップ口から流出し、自動的に置換され、新たな試薬を添加する前、先の試薬を除去し、乾燥操作する必要がない。
【００３１】
さらに、ベースプラットフォームにおいて、Ｎ１列のスライドアセンブリが置かれ、各列が等距離で置かれ、その距離がＤ１であり、各列のスライドサポートには、Ｎ２個のＶ字状の挿入溝が設置し、Ｎ２個のスライドアセンブリを挿入することができ、それぞれのＶ字状の挿入溝間の距離がＤ２であり、スライドアセンブリがＮ１列の形式で挿入すると、Ｎ２排、Ｎ１列のスライドアセンブリアレイ構成を構成し、現在のＹアームにはＮ３個の試薬添加針が設けれると仮定し、Ｎ２がＮ３の倍数であり、制御器は、まず、Ｄ１に基づいてＹアームのＸアームにおける運動ステップサイズを設定し、Ｄ２＊Ｎ３の数値に基づいて試薬添加針組のＹアームにおける運動ステップサイズを設置し、ある回の試薬添加に必要な容積がＭであり、試薬添加用マイクロポンプの流速がＶ１であると仮定すると、一回試薬添加の時間がｔ１＝Ｍ／Ｖ１になり、制御器により自動的に制御し、検出過程において試料を添加する必要があるとき、制御器は、試薬添加針組が試料を添加する必要であるスライドアセンブリの試薬添加溝の真上に移動するように制御し、試薬添加用マイクロポンプを起動し、試薬添加時間がｔ１であり、完了した後、一列の検出スライドアセンブリの試薬添加を完了するまで試薬添加針組がＸアームに沿って距離Ｄ２＊Ｎ３移動して次の試薬添加位置に達するように制御し、次に、ＹアームがＸアームに沿って距離Ｄ１移動して次の列の検出アセンブリに達するように制御し、試薬添加針は、Ｙアームに沿って逆方向にＤ２＊Ｎ３＊（Ｎ２／Ｎ３−１）摺動し、相応列のスライドアセンブリの起点に戻し、その後に、継続に試料を添加する。
【００３２】
さらに、供給用マイクロポンプの流速がＶ２であり、排出用マイクロポンプの流速がＶ３であり、容器の長さがＬであり、幅がＷであり、一操作過程において、容器に溶液を増加する必要がある深さがＨであると、制御器において新たに溶液を増加する深さの数値がＨであることを設定することができ、このとき、制御器は、供給用マイクロポンプの運転時間Ｔ３＝Ｌ＊Ｗ＊Ｈ／Ｖ２を自動的に算出し、上記Ｈ深さの溶液を容器から排出する必要があるとき、制御器は、排出用マイクロポンプの作動時間がＴ３＋Δｔになるように制御し、Δｔが、容器のうちの液体を完全に排出するために設定された時間余裕である。
【００３３】
従来の技術に比べて、本発明は、以下のメリット及び技術効果を有する。
【００３４】
本発明に係るスライドカバーとスライドとが組み合わせるとき、形成するスライドアセンブリの中間には微小ギャップを有し、それにより添加試薬は、重力及び毛細管によるサイフォン作用でギャップをいっぱいに充填し、スライドサンプルがギャップのカバー範囲にあれば、試薬にカバーされることができる。従来のような試薬をサンプルスライドに滴下する方法は、試薬が不均一にカバーすることを引き起こしやすい。
【００３５】
本発明に係るスライドカバーとスライドとが組み合わせるスライドアセンブリは、どのように放置しても、ギャップのうちの試薬が完全に無くすことがしなく、サンプルスライドがいつでも試薬にカバーされることを保証する。
【００３６】
本発明に係るスライドアセンブリ、スライドサポート及び容器などの検出アセンブリは、耐熱材料を採用して製造し、一体式又は分離式の加熱装置を配置し、それにより、スライドの処理過程において、スライドが終始に本来の位置に保持して加熱し、その途中にスライドを移行する必要がない。
【００３７】
本発明に係るスライドアセンブリは、熱溶液に浸漬され、或いはスライドアセンブリの底部を熱容液に浸漬させて浸漬式加熱を行うことができ、ギャップのうちの溶液は、揮発しても底部のギャップ口から吸込まれ、自動的に補充される。そのほかの計器は、試薬をスライドに滴下し、その後に焼付け式で加熱し、揮発及び乾燥の問題を引き起こしやすい。
【００３８】
本発明において、それぞれのサンプルスライドは、単独に加熱し、独立に温度を制御するのではなく、複数のサンプルスライドは、同一容器に浸漬して一体化加熱され、単一の温度制御器により温度を制御する。サンプル間の熱処理の差異を減少し、サンプルスライド処理の重複性を向上する。
【００３９】
本発明に係るサンプルスライドは、竪立又は傾斜の角度で複数排、複数列で挿入溝に挿入し、アレイ式の構成を形成し、空間を大幅に節約する。
【００４０】
本発明は、Ｙアームには複数の試薬添加針を取り付けることにより試薬添加針組を形成することができる。通常の単一の試薬添加針によりサンプリングし、試薬を添加すると、効率が低い問題を克服する。
【００４１】
本発明に係る試薬添加針は、Ｙ軸に沿って摺動することができ、かつ試薬添加針間の距離を調整し、サンプリング及び試薬添加の位置を決定することができる。試薬添加針は、Ｙ軸に沿って上下摺動することによりサンプリングし、及び試薬を添加する必要である高度を調整することができ、正確で、柔軟なサンプリング・添加を実現する。
【００４２】
本発明に係る検出アセンブリは、マイクロポンプで自動的に液体を注入し、および液体を排出する装置を設置し、スライド処理過程におおいて快速に液体を注入し、及び排出する自動制御を実現する。
【００４３】
本発明に記載の生物サンプルスライドの全自動処理装置及び方法は、高流束で、快速、信頼でき、全自動的にサンプルスライドの処理を行うことができる。
【００４４】
Ｖ字状の挿入溝は、構成がより簡単であり、コストがより低く、スライドアセンブリの構成と配合する。
【００４５】
Ｖ字状の挿入溝は、スライドアセンブリの構成と配合し、容器は、多くのスライドアセンブリを収容することができ、使用するとき、指で２つの溝側面の頂部模様部位とスライドを挟んで、スライドアセンブリを挿入溝に容易に挿入し、スライドの頂端を押付けるとき受力が不均一になり、或いは受力方向が偏差があるのでスライドをスライドカバーから離間させることを回避し、微小ギャップの形成及び正確性を保証し、操作がより便利で快速である。また、スライドアセンブリの排列は、より緊密になり、さらに空間を減少し、処理効率を向上する。
【００４６】
試薬及びサンプルスライドの種類識別と位置決めは、スキャナーの相応するタグにおけるバーコードや二次元コードの識別により、制御器に伝送し、試薬サンプリングと試薬添加の対応指令を指導する。
【図面の簡単な説明】
【００４７】
【図１】図１は、本発明に係る生物サンプルスライドの全自動処理装置の構成模式図である。
【図２】図２は、図１の左面図である。
【図３】図３は、図１の正面図である。
【図４ａ】図４ａは、実施例における検出アセンブリの構成模式図である。
【図４ｂ】図４ｂは、図４ａのスライドサポートを除去した図である。
【図５ａ】図５ａは、実施例における検出アセンブリの断面図である。
【図５ｂ】図５ｂは、図５ａのスライドサポートを除去した図である。
【図６】図６は、実施例におけるスライドカバーの模式図である。
【図７】図７は、実施例におけるスライドカバーとスライドとが配合するスライドアセンブリの模式図である。
【図８ａ】図８ａは、図７におけるスライドアセンブリの正面図である。
【図８ｂ】図８ｂは、図７のＡ−Ａ断面図である。
【図８ｃ】図８ｃは、図７のＢ部の一部拡大模式図である。
【図９】図９は、実施例におけるスライドサポートの構成模式図である。
【図１０】図１０は、実施例における複数列の挿入溝を有するスライドサポートの模式図である。
【図１１】図１１は、実施例におけるスライドサポートには複数のスライドアセンブリを挿入する模式図である。
【発明を実施するための形態】
【００４８】
以下、具体的な実施例を結び合わせて本発明をさらに説明し、本発明は、それに限定されていない。
【００４９】
図１〜図３に示すように、本実施例に係る生物サンプルスライドの全自動処理装置は、検出アセンブリ１、ベースプラットフォーム２、Ｚアーム３、Ｘアーム４、Ｙアーム５、試薬添加針６、バーコード及び二次元コードを識別可能な試薬スキャナー、バーコード及び二次元コードを識別可能なサンプルスライドスキャナーを含み、ＸＹＺは、空間直交座標系の座標軸に対応する。
【００５０】
図４ａ〜図５ｂに示すように、検出アセンブリ１は、容器３０１、ベース３０２、加熱装置３０３、液体注入口３０８、液体排出口３０７、制御器３０９、熱電対３１２、スライド１０１、スライドカバー６０１及びスライドサポート６０２を含み、制御器３０９は、加熱装置の起動と停止を制御し、加熱装置３０３は、ベース３０２の上方かつ容器３０１の下方に位置し、容器３０１は、加熱媒体及び１つ以上のスライドサポート６０２を放置し、熱電対３１２は、容器に置かれ、熱電対３１２は、容器３０１の温度をリアルタイムに検知し、かつ検知データを制御器３０９に伝送し、制御器３０９は、検知データに基づいて加熱電力の出力を調整する。本実施例において、液体排出口３０７は、排出ポンプ３１０に接続し、必要である場合、容器から液体を排出する。液体注入口３０８は、供給ポンプ３１１に接続し、必要である場合、容器に液体を注入する。実施例では、当該装置は、さらに、熱処理時間の長さを表示するための熱処理時間（保温時間）表示モジュール３１４と、保温時間の長さを設置するための保温時間調整ボタン３１５と、を提供する。
【００５１】
前記試薬スキャナーとサンプルスライドスキャナーとは、共に、前記制御器に接続し、スキャン結果を制御器に伝送する。試薬スキャナーは、ベースプラットフォーム２の左下前方のベースプラットフォームに取り付けられ、試薬の種類及びその位置を識別する。サンプルスライドスキャナーは、独立にベースプラットフォーム２の傍に置かれ、サンプルスライドを手動で移動し、或いは手動でスキャンすることができ、サンプルスライドの種類及びその位置を識別する。
【００５２】
図７に示すように、前記スライドカバー６０１とスライド１０１は、配合し、１組のサンプル処理のためのスライドアセンブリを組合せ、スライドサポート６０２の両端は、容器のお互いに対向する両側辺に掛けて、スライドサポート６０２におけるスライドアセンブリの底端と容器の底部との間に隙間を残し、前記スライドサポート６０２には、一体に形成し、竪直し或いは傾斜する複数のＶ字状の挿入溝６０４を形成し、それぞれのＶ字状の挿入溝６０４には、ばね板６０３が固定して設置され、複数のＶ字状の挿入溝は、一列に緊密に排列し、前記スライドサポートは、一列又は複数列のＶ字状の挿入溝６０２ｂを含み、スライドアセンブリは、スライドサポートのＶ字状の挿入溝６０４に沿って挿入し、スライドカバー６０１の表面がばね板６０３を押付けてばね圧を発生してスライドアセンブリに印加し、それにより押し締め作用を実現し、スライドサポート６０２の両端は、容器のお互いに対向する両側辺に掛けて、スライドサポート６０２におけるスライドアセンブリの底端と容器の底部との間に隙間を残す。スライドアセンブリは、Ｖ字状の挿入溝に挿入した後、傾斜し、或いは竪立して放置され、スライドアセンブリと竪直方向との間の角度が１〜９０度である。
【００５３】
Ｚアーム３は、ベースプラットフォーム２に竪直に固定して設置され、Ｘアーム４は、Ｚアーム３に取り付けられ、Ｚアームには、Ｘアーム４のＺアームに沿う上下移動を制御するためのステップ制御機構が設けられ、Ｙアーム５は、Ｘアーム４に取り付けられ、Ｘアームには、Ｙアーム５のＸアームに沿う左右移動を制御するためのステップ制御機構が設けられる。
【００５４】
Ｙアーム５には、１つ又は複数の試薬添加針６を取り付けて試薬添加針組を形成し、Ｙアーム５にはステップ制御機構が設置され、制御器の制御で試薬添加針組がＹアームに沿って移動するように駆動することができる。Ｙアームには、さらに、ピッチ調整機構が設けられている。一実施例として、当該ピッチ調整機構は、サーボモーターや、ステップモーター、シリンダーなどの駆動機構が親ねじ・ナット機構又は接続棒機構などの作動機構を結び合わせて構成し、システム制御器の制御で、駆動機構は、ピッチ調整要求に応じて作動機構が運動するように駆動することにより、試薬添加針組のそれぞれの間のピッチを調整する。
【００５５】
制御器の制御で試薬添加針組のそれぞれの間のピッチを調整することができ、ステップ制御機構の制御で、試薬添加針は、上下移動して試薬添加針の高度、即ち、ベースプラットフォームとの距離を制御することができる。試薬添加針６は、ステップ制御機構の制御で、スライドアセンブリの試薬添加溝１０２の上方に自動的に移動することができる。試薬添加針６は、パイプラインを介して試薬添加用マイクロポンプが接続し、試薬添加用マイクロポンプは、制御器の制御でサンプリング及び添加の体積と回数を制御することができ、毎回の試薬の添加量、一回試薬を取って一回に添加し及び一回試薬を取って複数回に分けて複数のサンプルに添加することを制御する。
【００５６】
実施例として、検出アセンブリ１は、個数が１つ又は複数であり、複数の検出アセンブリ１は、ベースプラットフォーム２に平行に放置され、大量のサンプルスライドを同時に処理し、或いは異なる操作プローが必要であるサンプルスライドを処理することができる。前記ステップ制御機構は、ステップモーターで駆動される親ねじ機構又はステップモーターで駆動されるベルト伝動機構である。
【００５７】
本実施例に係る処理装置は、さらに、液体注入口３０８に接続する液体注入制御部材と液体排出口３０７に接続する液体排出制御部材を含み、液体注入制御部材及び液体排出制御部材は、マイクロポンプ又は電磁弁を採用して実現し、マイクロポンプ及び電子弁は、共に、制御器により制御され、液体注入と液体排出を定量に実現し、制御器３０９は、ホストコンピュータ（例えば、コンピュータ）に接続し、ホストコンピュータの指令を受信する。
【００５８】
図６、図７、図８ａ〜図８ｃに示すように、前記カバーは、毛管現象発生平面９０１、深さ位置決め面９０２、幅位置決めブロック９０３、底部位置決めブロック９０４、溝側面９０６、溝開口面９０７を含み、前記毛管現象発生平面９０１のお互いに対向する両側辺の上方には、２つの前記深さ位置決め面９０２が設けられ、毛管現象発生平面９０１が深さ位置決め面に平行し、前記スライドの平面の両側辺縁に近接する部分は、深さ位置決め面９０２に貼り合せ、スライド表面と毛管現象発生平面９０１との間に微小ギャップを形成し、それぞれの深さ位置決め面９０２において毛管現象発生平面９０１から離れる外側辺縁には、１つ以上の前記幅位置決めブロック９０３が設けられ、異なる深さ位置決め面９０２に位置する幅位置決めブロック９０３間の垂直距離は、スライドの幅にマッチングして位置制限し、底部位置決めブロック９０４は、深さ位置決め面９０２の底端に設けられ、前記溝開口面９０７と毛管現象発生平面９０１の上端とが接続して夾角Ａ１を形成し、Ａ１が１〜１７５度の平面角であり、溝開口面９０７の両側には、それぞれ、溝側面９０６が接続し、前記溝開口面９０７及び２つの溝側面９０６は、スライド平面と共同に前記微小ギャップに連通する試薬添加溝を構成し、微小ギャップの底部にはギャップ口があり、スライドカバーは、スライドの長さと等しく、溝側面９０６においてスライド平面に貼り合せる一側、即ち、２つの前記深さ位置決め面９０２の上端には、共に、タグ収容溝９０９が設けられ、スライドにはタグが貼り付けているとき、タグ収容溝は、タグの厚さを収容するための十分な空間を提供し、それにより、スライドカバーは、スライドにはタグが貼り付けられているか否かに関わらずスライドに緊密に貼り付けることができ、２つの溝側面９０６の外側には、頂部模様９１０が設けられ、溝側面９０６と指との間の摩擦力を増加し、毛管現象発生平面９０１と深さ位置決め面９０２との間の垂直距離が０．０１〜０．５ｍｍであり、スライドカバー及びスライドは、緊密に貼り付けた後にスライド表面と毛管現象発生平面９０１との間にピッチ０．０１〜０．５ｍｍの微小ギャップを形成し、前記幅位置決めブロック９０３は、深さ位置決め面９０２の厚さより０．１〜１ｍｍ高く、底部位置決めブロック９０４は、上向きの鉤状であり、底部位置決めブロック９０４と幅位置決めブロック９０３は、共に、カバーとスライドとが貼り合せた後の相対位置を決定し、かつカバーとスライドとの間の緊密貼合せを保持することを支援する。前記毛管現象発生平面の底部には、さらに、２つの導流角が設けられている。２つの前記導流角９１１間には漏斗式の導流口９０５を形成し、かつ毛管現象発生平面のうちの溶液が導流口から流出することを許可する。
【００５９】
実施例として、前記加熱装置３０３は、電熱ロッド加熱や、電熱線加熱、マイクロ波加熱、電磁誘導加熱、熱媒体循環加熱方式を採用し、前記加熱装置３０３と容器３０１は、接続構成又は分離可能な構成である。実施例として、前記制御器は、ＰＩＣシングルチップマイクロコンピュータ、５１シングルチップマイクロコンピュータ又はＰＬＣ制御器などの制御器を採用し、制御器によりリレーのオン／オフを制御することにより、加熱機能の起動・停止を実現し、注入口及び排出口の開閉制御を実現する。
【００６０】
図９に示すように、スライド１０１とスライドカバー６０１とが組み合わせたスライドアセンブリの上端の外形は、サポートにおけるＶ字状の挿入溝６０４にマッチングし、それにより、スライドアセンブリがスライドサポート６０２におけるＶ字状の挿入溝６０３に挿入することができ、複数の緊密に排列するスライドアセンブリを形成し、ばね板６０３とスライドサポートのＶ字状の挿入溝６０４は、一体に接続する構成であり、或いは、独立に分離して設置し、独立に分離して設置するとき、ばね板は、嵌合し、或いは接着するようにＶ字状の挿入溝６０４に固定される。
【００６１】
本実施例に係る生物サンプルスライドの全自動処理装置の処理方法では、それぞれの試薬添加針は、制御器により独立に制御されるが、協働して複数の試薬を単独又は同時にサンプリングし、或いは、複数のサンプルスライドを単独又は同時に試料を添加することができる。スライドには少なくとも１つの生物サンプルを含み、生物サンプルを熱処理するとき、試薬をサンプルスライドに滴下して焼付けの方式で行うのではなく、スライドサポートにおけるスライドアセンブリは、容器の熱媒体に浸漬し、或いは挿入して加熱を行う。それぞれのサンプルスライドは、単独に加熱し、独立に温度を制御するのではなく、複数のスライドにおけるサンプルは、同一容器に浸漬されて、制御器より温度を制御し、一体化熱処理を行う。スライドアセンブリがサンプルスライド処理の過程過程において、スライドカバーとスライドとの間の相対位置は、終始に固定されて、分離する必要もない。制御器は、供給用マイクロポンプが液体を注入し、排出用マイクロポンプが液体を容器から排出することを自動的に制御し、サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングする。
【００６２】
スライドアセンブリが熱処理するとき、一実施例において、容器のうちの加熱媒体を沸騰まで加熱することができ、熱処理温度を制御し、熱処理に均一性、信頼性及び重複性を有させる。
【００６３】
検証過程において容器３０１の容液が沸騰した後、時間Ｔ２保温することが要求されると仮定し、加熱し始めるとき、制御器は、加熱電力がＫ１になるように設置して快速加熱し、加熱過程において、熱電対３１２は、溶液温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させる。
【００６４】
一実施例として、容器に対する加熱は、試験で検証した後、沸騰まで加熱する時間Ｔ１及び保温時間Ｔ２を設置すればよく、熱電対のフィードバックにより加熱の時間及び電力を調整する必要がない。
【００６５】
新たな試薬を添加するとき、新たな試薬は、試薬添加溝を介してギャップに進入し、ギャップにおける本来の試薬は、スライドアセンブリの底部のギャップ口から流出し、自動的に置換され、新たな試薬を添加する前、先の試薬を除去し、乾燥操作する必要がない。
【００６６】
一実施例として、ベースプラットフォームにおいて、Ｎ１列のスライドアセンブリが置かれ、各列が等距離で置かれ、その距離がＤ１であり、各列のスライドサポートには、Ｎ２個のＶ字状の挿入溝６０４が設置し、Ｎ２個のスライドアセンブリを挿入することができ、それぞれのＶ字状の挿入溝間の距離がＤ２であり、スライドアセンブリがＮ１列の形式で挿入すると、Ｎ２排、Ｎ１列のスライドアセンブリアレイ構成を構成し、現在のＹアーム５にはＮ３個の試薬添加針６が設けれると仮定し、Ｎ２がＮ３の倍数であり、制御器は、まず、Ｄ１に基づいてＹアーム５のＸアーム４における運動ステップサイズを設定し、Ｄ２＊Ｎ３の数値に基づいて試薬添加針組のＹアーム５における運動ステップサイズを設置し、ある回の試薬添加に必要な容積がＭであり、試薬添加用マイクロポンプの流速がＶ１であると仮定すると、一回試薬添加の時間がｔ１＝Ｍ／Ｖ１になり、制御器により自動的に制御し、検出過程において試料を添加する必要があるとき、制御器は、試薬添加針組が試料を添加する必要であるスライドアセンブリの試薬添加溝の真上に移動するように制御し、試薬添加用マイクロポンプを起動し、試薬添加時間がｔ１であり、完了した後、一列の検出スライドアセンブリの試薬添加を完了するまで試薬添加針組がＸアームに沿って距離Ｄ２＊Ｎ３移動して次の試薬添加位置に達するように制御し、次に、ＹアームがＸアームに沿って距離Ｄ１移動して次の列の検出アセンブリに達するように制御し、試薬添加針は、Ｙアームに沿って逆方向にＤ２＊Ｎ３＊（Ｎ２／Ｎ３−１）摺動し、相応列のスライドアセンブリの起点に戻し、その後に、継続に試料を添加する。
【００６７】
供給用マイクロポンプの流速がＶ２であり、排出用マイクロポンプの流速がＶ３であり、容器の長さがＬであり、幅がＷであると仮定し、一操作過程において、容器に溶液を増加する必要がある深さがＨであると、制御器において新たに溶液を増加する深さの数値がＨであることを設定することができ、このとき、制御器は、供給用マイクロポンプ３１１の運転時間Ｔ３＝Ｌ＊Ｗ＊Ｈ／Ｖ２を自動的に算出し、上記Ｈ深さの溶液を容器から排出する必要があるとき、制御器は、排出用マイクロポンプ３１０の作動時間がＴ３＋Δｔになるように制御し、Δｔが、容器のうちの液体を完全に排出するために設定された時間余裕である。
【００６８】
上記明細書の掲示及び指示に基づいて、当業者は、上記実施形態を変更したり、修正することができる。そのため、本発明は、以上に掲示し、説明した具体的な実施形態に限定されていなく、本発明のある修正及び変更も本発明の保護範囲に含まれる。
【図１】
2019509506.tif 000003
【図２】
2019509506.tif 000004
【図３】
2019509506.tif 000005
【図４ａ】
2019509506.tif 000006
【図４ｂ】
2019509506.tif 000007
【図５ａ】
2019509506.tif 000008
【図５ｂ】
2019509506.tif 000009
【図６】
2019509506.tif 000010
【図７】
2019509506.tif 000011
【図８ａ】
2019509506.tif 000012
【図８ｂ】
2019509506.tif 000013
【図８ｃ】
2019509506.tif 000014
【図９】
2019509506.tif 000015
【図１０】
2019509506.tif 000016
【図１１】
2019509506.tif 000017
【国際調査報告】
2019509506.tif 000018
2019509506.tif 000019
2019509506.tif 000020
2019509506.tif 000021